(57)【要約】【課題】刈払い機の主杆先端に対するヘッジトリマーの装着作業を、作業の巧拙なく簡単に確実にできるようにし、ヘッジトリマーが円滑に動作して、その性能を存分に発揮できるようにした便利な刈込み装置を提供する。【解決手段】ヘッジトリマー１のケース３に可動刃５ａ、５ｂに駆動力を伝達する接続部材１３を支持し、該接続部材１３に結合用頭部１３ａを設け、また、刈払機の主杆１０先端に突出する出力軸１２にカップリング１４を固着し、該カップリング１４の下面側に結合用凹部１４ａを設け、結合用頭部１３ａにカップリング１４を被冠して結合用凹部１４ａに結合用頭部１３ａを嵌合させ、出力軸１２と接続部材１３の結合を図り、この状態で、ケース後方に突設した支持腕２０に対し、主杆先端部に取巻き状に取着した連結ブロック２１を介して主杆１０を固定した。【選択図】      図１
0003102286.tif 000002
【実用新案登録請求の範囲】
【請求項１】
ケースに基部を固定した案内板と、該案内板に支持され、差動的に往復動して切断作用をなす一対の可動刃を備えたヘッジトリマーにおいて、前記ケースに可動刃に駆動力を伝達する接続部材を支持し、該接続部材に結合用頭部を設け、また、刈払機の主杆先端に突出する出力軸にカップリングを固着し、該カップリングの下面側に前記結合用頭部が嵌合する結合用凹部を設け、結合用頭部にカップリングを被冠して出力軸と接続部材の結合を図り、この状態で、ケース後方に突設した支持腕に対し、主杆先端部に取巻き状に取着した連結ブロックを介して主杆を固定したことを特徴とする刈込み装置。
【請求項２】
連結ブロックは、上下方向に２分割構成とされ、両分割ブロックの接合面に主杆を挟持する断面半円状の凹溝を形成し、両分割ブロックの重合締め付けで凹溝内に主杆を固定することを特徴とする請求項１記載の刈込み装置。
【請求項３】
連結ブロックの片側に支持面を設け、該支持面を支持腕後端部に形成した垂直支持面に当接させ、該垂直支持面に向けて貫設した複数の長孔に固定ねじを挿通して連結ブロックを支持腕にねじ止めして固定することを特徴とする請求項１又は２記載の刈込み装置。
【請求項４】
ケース及び連結ブロックをダイカスト製にしたことを特徴とする請求項１〜３のいずれか１項に記載の刈込み装置。
【考案の詳細な説明】
【技術分野】
【０００１】
本考案は刈込み装置に関するものであり、さらに詳しくは、芝草等の刈払い作業はもとより、生垣の刈込みや草刈りおよび樹木の剪定作業等にも使用できる汎用性のある刈込み装置に関するものである。
【背景技術】
【０００２】
従来より生垣の刈込みや樹木の剪定等には、バリカン形式のヘッジトリマーが使用されている。このヘッジトリマーは、原動機側に基部を固定した案内板に、櫛状を呈する切刃を設けた上下一対の可動刃を支持させ、両方の可動刃を差動的に往復動させて切断作用をなすものである。
【０００３】
一方、芝草等の刈払い作業に使用される刈払機は、作業者の手で支持される主杆の基部にエンジン等の原動機が装着され、主杆先端に設けたギヤケースから下向きに突出した出力軸に回転刃を装着し、ギヤケースのフランジ部に回転刃の一部を覆うようなカバーを取り付けたものが使用されている。この刈払機による刈払作業では、作業者が主杆を手に持ってカバーおよびギヤケースを地面から適宜の高さに離した状態で、高速回転する回転刃を地面と垂直な軸心回りに回転させて芝草等の刈払りを行うものである。
【０００４】
前記するように従来のヘッジトリマーと刈払機は、用途に応じて専用機を使い分けていたものであるが、刈払機とヘッジトリマーを兼用する刈込み装置も提案されている（例えば、特許文献１参照。）。
【０００５】
この構成の刈込み装置では、櫛状を呈する切刃を設けた一対の可動刃を差動的に往復動させて使用するヘッジトリマーと、高速回転する回転刃を使用する刈払機を兼用するために、ヘッジトリマーの基部には、可動刃に動力を伝達する接続部材が回動自在に支持されていて、この接続部材に刈払機の主杆先端に突出する出力軸を結合するとともに、主杆とヘッジトリマーの一体化を図るために、案内板後端から斜め上方に延長状に屈曲させた案内板基部に、一対の把持片を対向して立設し、両把持片間に、主杆の先端部が係合する溝と固定ボルト孔を有する一対の把持ブロックを対向的に配設し、主杆先端部を両方の把持片間に入れた状態で、両方の把持片に設けた長孔から対向的に挿通した固定ボルトを把持ブロックに設けた固定ボルト孔に螺合させて主杆先端部を一対の把持片間に把持して固定するものである。
【０００６】
ところが、前記する構成の刈込み装置で、ヘッジトリマーを使用する場合に、主杆先端にヘッジトリマーを装着する作業手順としては、先ず、ヘッジトリマーの基部に支持された接続部材に、刈払機の主杆先端に突出する出力軸をねじ止めして結合した後に、案内板基部に立設された一対の把持片間に配設した一対の把持ブロックによって主杆先端部を把持して固定するために、出力軸を接続部材に結合する間は、一対の把持片間にあって一対の把持ブロックは、その固定ボルトが緩められた状態にあり、主杆は両方の把持ブロック間にあって何の支えもなく、宙に浮いた状態で出力軸と接続部材の結合作業は行われる。
【０００７】
従って、出力軸を接続部材に結合した後で、把持片の両側から複数本（具体的には４本）の固定ボルトを対向的に締め付けていって、主杆先端部を一対の把持ブロックの対向面に設けた溝に係合させて固定する場合、複数本の固定ボルトの締め付けは、作業者の手加減に頼って行われるので、一旦、出力軸を接続部材に確かり結合した後で、複数本の固定ボルトの締め付けで、主杆先端部を把持する把持ブロックを左右方向又は上下方向に振らして行われる主杆の固定は、必ずしも、最適固定位置に一致するとは限らず、作業者の勘に頼る４本の固定ボルトの締め付け具合によっては、最適固定位置からずれていたり、主杆が周方向に僅かに捻れを生じて固定されたり、主杆側から接続部材に対し押圧力を掛けるような固定になったりすると、作業時に出力軸が軸心振れ生じて振動の発生原因になり、また、円滑な動力の伝達ができなくなって作業能率を低下させるようなことがおきる。
【特許文献１】特開平８−１７２９０９号公報。
【考案の開示】
【考案が解決しようとする課題】
【０００８】
本考案は、このような状況に鑑みてなされたものであって、主杆先端に対するヘッジトリマーの装着作業を、作業の巧拙なく簡単に確実にできるようにし、ヘッジトリマーが円滑に動作して、その性能を存分に発揮できるようにした便利な刈込み装置を提供することを目的としたものである。
【課題を解決するための手段】
【０００９】
上記の目的を達成するために、本考案に係る刈込み装置は、ケースに基部を固定した案内板と、該案内板に支持され、差動的に往復動して切断作用をなす一対の可動刃を備えたヘッジトリマーにおいて、前記ケースに可動刃に駆動力を伝達する接続部材を支持し、該接続部材に結合用頭部を設け、また、刈払機の主杆先端に突出する出力軸にカップリングを固着し、該カップリングの下面側に前記結合用頭部が嵌合する結合用凹部を設け、結合用頭部にカップリングを被冠して出力軸と接続部材の結合を図り、この状態で、ケース後方に突設した支持腕に対し、主杆先端部に取巻き状に取着した連結ブロックを介して主杆を固定したことを特徴とする。
【００１０】
このように構成した本考案によれば、主杆先端の出力軸とヘッジトリマーの結合部材を結合するのに先だって、出力軸にカップリングを固着し、この後のカップリングとヘッジトリマーの結合部材の結合は、主杆先端部に連結ブロックを仮止めし、この連結ブロックをケース後方に突設した支持腕後端部に仮止めした状態で行われ、主杆と連結ブロックを一体的に動かし、結合用頭部の真上にカップリングを位置させてカップリングを下げてきて結合用頭部に被冠すると、カップリングの結合用凹部に結合用頭部が嵌合して両者が一体回動可能に結合される。
【００１１】
こうして、主杆とヘッジトリマーとの全体的なバランスを採りながら、主杆に対する連結ブロックの本締めと、支持腕に対する連結ブロックの本締めを行えば、支持腕に対して主杆先端部は最適位置に固定され、主杆はふらつきがなく安定する。従って、ヘッジトリマーの装着作業には、作業の巧拙がなく確実にでき、回転バランスが採れて円滑に動作するヘッジトリマーが提供できる。
【００１２】
前記構成において、連結ブロックは、上下方向に２分割構成とされ、両分割ブロックの接合面に主杆を挟持する断面半円状の凹溝を形成し、両分割ブロックの重合締め付けで凹溝内に主杆を固定する構成にすると、連結ブロックは、凹溝の両側で、上位ブロックから下位ブロックに向けて螺着する複数本の固定ねじを使用して凹溝に主杆を挟持させることができるので、連結ブロックを主杆に取巻き状に取り付ける作業をし易くする。つまり、主杆に対する連結ブロックの仮止め及び本締め作業をし易くする。
【００１３】
前記構成において、連結ブロックの片側に支持面を設け、該支持面を支持腕後端部に形成した垂直支持面に当接させ、該垂直支持面に向けて貫設した複数の長孔に固定ねじを挿通して連結ブロックを支持腕にねじ止めして固定する構成にすると、支持腕に対する連結ブロックの固定には、普通、連結ブロックの前後で２本あればよいので、この２本の固定ねじを使用して支持腕に対して連結ブロックを固定する作業にしても煩雑なものではなく、連結ブロックの仮止め及び本締め作業をし易くする。
【００１４】
前記構成において、ケース及び連結ブロックをダイカスト製にすると、ケースの堅牢性が向上するとともに、ケース後方に突設した支持腕も形態的な安定性が向上し、デザイン的にもケースと連結ブロックの一体化が図られて高品質のヘッジトリマーが提供できる。
【考案の効果】
【００１５】
本考案に係る刈払い装置によれば、刈払機の主杆の先端部に突出する出力軸と、ヘッジトリマー基部のケース上に突出する接続部材との結合が、出力軸に固着したカップリングを介してワンタッチ式に行われ、しかも、主杆先端に対するヘッジトリマーの装着作業に当たっては、主杆を連結ブロックを介してヘッジトリマー基部に仮止めして行われるので、主杆のふらつきがなく安定し、ヘッジトリマーの装着作業は、作業の巧拙がなく確実にできる。従って、回転バランスが採れて円滑に動作するヘッジトリマーを提供することができる。
【考案を実施するための最良の形態】
【００１６】
本考案に係る刈払い装置の好ましい実施の形態を添付の図面に基づいて説明する。
【実施例１】
【００１７】
図１は本考案に係る刈込み装置に適用されるヘッジトリマーの斜視図、図２は本考案に係る刈込み装置の要部の平面図、図３は図２のＡ−Ａ線におけるヘッジトリマーの断面図、図４は図２のＢ−Ｂ線におけるヘッジトリマーの断面図である。
【００１８】
図において、ヘッジトリマー１の刃部２は、ケース３内に基部を固定した案内板４に対し、櫛状を呈する切刃を設けた一対の可動刃５ａ，５ｂを配装したもので、両可動刃５ａ，５ｂの複数個所に長手方向に穿設された長孔６と、この長孔６に対応して案内板４に穿設した孔７に取付けボルト８を挿通してナット９止めしている。
【００１９】
ヘッジトリマー１が装着される刈払機の主杆１０は、先端にギヤケース１１が設けられ、このギヤケース１１内に支持された出力軸１２を下向きに突出させている。この出力軸１２は、本来的には、刈払作業に使用される回転刃が取着されるものである。
【００２０】
主杆１０の先端にヘッジトリマー１を装着し、出力軸１２から可動刃５ａ，５ｂに駆動力を伝達するために、出力軸１２と結合される接続部材１３をケース３に支持している。
【００２１】
この接続部材１３と出力軸１２を結合するために、接続部材１３に結合用頭部１３ａを設け、出力軸１２にはカップリング１４を固定ねじ１２ａを用いて固着し、その下面側に結合用凹部１４ａを設け、この結合用凹部１４ａに接続部材１３の結合用頭部１３ａを嵌合させて両者を一体回動可能に結合するようにしている。
【００２２】
実施の形態では、円形状をなす結合用頭部１３ａの一部に、切欠部１３ｂを形成し、この切欠部１３ｂに対応してカップリング１４の結合用凹部１４ａには膨出部（図示せず）を形成して両者の一体回動結合を実現している。
【００２３】
前記接続部材１３は、その回転運動を可動刃５ａ，５ｂのストローク運動に変換するために、その軸１３ｃにピニオンギヤ１５を装備しており、このピニオンギヤ１５をケース３に軸支した大径ギヤ１６に噛合させて減速を図り、また、この大径ギヤ１６の軸１７に、上下して一対の円盤状の偏心カム１８ａ，１８ｂを形成し、その上位の偏心カム１８ａを一方の可動刃５ａの基端とリンク１９ａを介して連結し、下位の偏心カム１８ｂを他方の可動刃５ｂの基端とリンク１９ｂを介して連結し、接続部材１３が回転して大径ギヤ１６が回転すると、一対の可動刃５ａ，５ｂはリンク１９ａ，１９ｂを介して差動的に往復動して切断作用をなすようにしている。
【００２４】
前記出力軸１２をカップリング１４を介して接続部材１３に結合するとともに、主杆１０とヘッジトリマー１との一体化を図るために、ケース３後方に支持腕２０を突設し、この支持腕２０の後部側面に、主杆１０の先端部に取巻き状に固定される連結ブロック２１を固定する垂直支持面２２を形成している。
【００２５】
連結ブロック２１は、上位ブロック２１ａと下位ブロック２１ｂからなる２分割構成とし、両ブロックの接合面に断面半円状の凹溝２３を形成し、両ブロック２１ａ，２１ｂが重合状態で凹溝２３内に主杆１０を挟持するようにしたもので、凹溝２３の両側で、上位ブロック２１ａから下位ブロック２１ｂに向けて複数本の固定ねじ２４を螺着して主杆１０先端部に取巻き状に固定するようにしている。
【００２６】
また、前記支持腕２０後部に形成した垂直支持面２２に連結ブロック２１を固定するために、連結ブロック２１の片側に支持面２５を設けてこれを支持腕２０の垂直支持面２２に当接させ、支持腕２０には、垂直支持面２２に向けて長孔２６を貫設し、この長孔２６に複数本の固定ねじ２７を横向きに挿通して連結ブロック２１を固定するようにしている。ここで連結ブロック２１の固定に使用する固定ねじ２７は、連結ブロック２１の前後で２本あればよいので、実施の形態では、連結ブロック２１の両端部寄りの所に２本の固定ねじ２７を配して固定するようにしている。
【００２７】
上記構成において、主杆１０先端にヘッジトリマー１を装着する要領を説明する。
【００２８】
予め、主杆先端のギヤケース１１から下向きに突出する出力軸１２には、カップリング１４をねじ止めして固着する。また、主杆１０先端部に連結ブロック２１を取巻き状に仮止めし、この連結ブロック２１を支持腕２０の垂直支持面２２に対して仮止めする。
【００２９】
この状態で、結合用頭部１３ａの真上にカップリング１４を位置させてカップリング１４を下げると、カップリング１４の結合用凹部１４ａに、接続部材１３の結合用頭部１３ａが嵌合し、結合用頭部１３ａに形成した切欠部１３ｂが結合用凹部１４ａに形成した膨出部に対応してカップリング１４と接続部材１３が一体回動可能に結合される。
【００３０】
この後で、カップリング１４とヘッジトリマー１との全体的なバランスを採り、出力軸１２の軸心と接続部材１３の軸心が合致していることを確認し、また、連結ブロック２１の位置関係等で無理な力等が掛かっていないか等を確認した上で、主杆１０に対する連結ブロック２１の本締めと、支持腕２０に対する連結ブロック２１の本締めを行って使用に供する。
【産業上の利用可能性】
【００３１】
本考案に係る刈払い装置の活用例としては、従来の刈払い機をそのまま使用し、刈払い機本来の芝草等の刈払いに使用する回転刃と、生け垣の刈込みや樹木の剪定等に使用されるヘッジトリマーの使い分けが簡単にできるので、さまざまな樹木及び植物の管理及び手入れ等に広範に使用できて有用なものである。
【図面の簡単な説明】
【００３２】
【図１】本考案に係る刈込み装置に適用されるヘッジトリマーの斜視図である。
【図２】本考案に係る刈込み装置の要部の平面図である。
【図３】図２のＡ−Ａ線におけるヘッジトリマーの断面図である。
【図４】図２のＢ−Ｂ線におけるヘッジトリマーの断面図である。
【符号の説明】
【００３３】
１  ヘッジトリマー
２  刃部
３  ケース
４  案内板
５ａ  可動刃
５ｂ  可動刃
６  長孔
７  孔
８  取付けボルト
９  ナット
１０  主杆
１１  ギヤケース
１２  出力軸
１２ａ  固定ねじ
１３  接続部材
１３ａ  結合用頭部
１３ｂ  切欠部
１３ｃ
１４  カップリング
１４ａ  結合用凹部
１５  ピニオンギヤ
１６  大径ギヤ
１７  軸
１８ａ  偏心カム
１８ｂ  偏心カム
１９ａ  リンク
１９ｂ  リンク
２０  支持腕
２１  連結ブロック
２１ａ  上位ブロック
２１ｂ  下位ブロック
２２  垂直支持面
２３  凹溝
２４  固定ねじ
２５  支持面
２６  長孔
２７  固定ねじ
【図１】
0003102286.tif 000003
【図２】
0003102286.tif 000004
【図３】
0003102286.tif 000005
【図４】
0003102286.tif 000006